(57)【要約】【課題】両立が難しい関係にある、来襲波の遮断および反射波などの低減作用と、海水交換を有効かつ静穏に行う作用とを同時に実現できる海水交換型防波堤を提案する。【解決手段】海側の前面カーテン壁と陸側の後面カーテン壁を所定の間隔をあけて海底に設置する越流式の海水交換型消波堤において、ピストンモード波浪共振による越流量の増大のための遊水室４を前後両カーテン壁２、３の間に形成し、前面カーテン壁２の下部に吃水下端部２ａを設けると共に、後面カーテン壁３の天端に越流部（越波部）３ａを設ける。越流部３ａの高さは、静水面と略同一か又は水中に没しているように設けるのがよい。【選択図】  図１
2004218257.tif 000002
【特許請求の範囲】
【請求項１】
海側の前面カーテン壁と陸側の後面カーテン壁を所定の間隔をあけて海底に設置する越流式の海水交換型消波堤において、吃水下端部を有する前面カーテン壁の後部に間隔をあけて後面カーテン壁を設け、前記後面カーテン壁の天端に越流部を設けたことを特徴とする海水交換型消波堤。
【請求項２】
後面カーテン壁の天端に設ける越流部の高さは、静水面と略同一か又は水中に没していることを特徴とする請求項１記載の海水交換型消波堤。
【請求項３】
後面カーテン壁のさらに後側に所定の間隔をあけて、かつ前面カーテン壁よりも吃水が浅くなるようにして、越流部背後カーテン壁を設けたことを特徴とする請求項１または２記載の海水交換型消波堤。
【請求項４】
前面カーテン壁と後面カーテン壁の間に、前面カーテン壁の吃水下端部よりも深い吃水下端部を有する中間部カーテン壁を設けたことを特徴とする請求項１〜３の何れか１項記載の海水交換型消波堤。
【請求項５】
前面カーテン壁が、全面閉鎖型の壁又は横形ブラインド状に隙間を持って配列された複数の傾斜板を備えた壁であることを特徴とする請求項１〜４の何れか１項記載の海水交換型消波堤。
【請求項６】
前面カーテン壁と後面カーテン壁のうち、前面カーテンが垂直型又は、下部が前方に迫り出した傾斜型であり、後面カーテンが垂直型又は、下部が後方に迫り出した傾斜型の何れかであることを特徴とする請求項１〜５の何れか１項記載の海水交換型消波堤。
【発明の詳細な説明】
【０００１】
【発明の属する技術分野】
本発明は、長周期波が到来する海域における海水交換型消波堤に係り、とくに、２重カーテン壁による低反射・低透過構造の海水交換型防波堤に関するものである。
【０００２】
【従来の技術】
一般に港湾は、厳しい波浪環境下にある場合が多く、外郭施設の整備より、船舶の接岸や荷役業務に対して十分に安全なように港湾波浪の静穏化が求められる。しかし、湾内静穏度を求めるあまり、港内外の海水交流が抑止され、港湾域が閉鎖性海域になりがちであり、湾内に海水が入らず、港内水の湾内の海水が汚れ、水質悪化が問題となっている。
【０００３】
その対策として、古くから透過性防波堤の適用や海水交換型防波堤の開発も進められてきている。従来、海水交換型防波堤としては、▲１▼堤体の一部に透水孔を設け、潮流や波浪流等の流れの疎通をよくするものや、▲２▼さらに越流工や弁などを設けて通水孔内の流向を制御するものなど、▲３▼また別途に潜堤を設けるものなどが知られている。
【０００４】
前記の何れもできるだけ防波・消波機能を維持しながら、通水あるいは海水交換機能を持たせるような工夫がなされているが、波の遮蔽効果や反射波低減効果が充分でないものや、構造が複雑すぎる例などもみられる。
【０００５】
前記の既存技術を改良するものとして、本出願人に係る反射波低減構造物が提案されている（特許文献１）。この先行技術は、沖側が傾斜型の前面カーテン壁と、陸側が傾斜型の後面カーテン壁とを間隔をおいて配置するようにした異吃水式二重カーテン壁を備えた反射波低減構造物において、沖側の前面カーテン壁の吃水を陸側の後面カーテン壁の吃水よりも浅くするものである。
【０００６】
【特許文献１】
特開２０００−１５４５１８号公報
【０００７】
【発明が解決しようとする課題】
前記の従来技術は、港湾の防波構造物として、沖側の前面カーテン壁の吃水を陸側の後面カーテン壁の吃水よりも浅く設定することにより、反射波を効果的に低減させることができるというものである。本発明は、▲１▼防波施設としての本来の機能である来襲波の遮断および反射波の低減などをできるだけ維持したうえ、▲２▼海水交換をより有効に行える構造とすることを目指すが、前記▲１▼と▲２▼は両立が難しい関係にあり、しかも従来技術ではこの問題解決について殆ど関心が払われていなかった。さらに消波時の静穏化および構造の簡易化の点でも改良すべき点が残されていた。
【０００８】
すなわち、前記の異吃水２重カーテン防波堤で通水機能を高める（海水交換）ためには、後面カーテン壁下部の通水開口長を広くする方法が一般にはとられる。しかし、その場合の透過波は大きくなり、港湾の静穏度が悪くなるという問題があった。
【０００９】
本発明者は、港湾域における海水交換を促進する目的から海水交換型防波堤を目指し、特に、防波施設としての機能である来襲波の遮断および反射波の低減などをなるだけ維持して、しかも海水交換を有効かつ静穏に行える構造体について研究した。
【００１０】
本発明は、前記の研究結果に基づく提案に係り、本来の防波施設としての機能である来襲波の遮断および反射波などを低減でき、加えて海水交換が有効かつ静穏に行える海水交換型防波堤を提案するものである。
【００１１】
【課題を解決するための手段】
前記の課題を解決するため、本発明は次のように構成する。
【００１２】
第１の発明は、海側の前面カーテン壁と陸側の後面カーテン壁を所定の間隔をあけて海底に設置する越流式の海水交換型消波堤において、吃水下端部を有する前面カーテン壁の後部に間隔をあけて後面カーテン壁を設け、前記後面カーテン壁の天端に越流部を設けたことを特徴とする。
【００１３】
第２の発明は、第１の発明において、後面カーテン壁の天端に設ける越流部の高さは、静水面と略同一か又は水中に没していることを特徴とする。
【００１４】
第３の発明は、第１または第２の発明において、後面カーテン壁のさらに後側に所定の間隔をあけて、かつ前面カーテン壁よりも吃水が浅くなるようにして、越流部背後カーテン壁を設けたことを特徴とする。
【００１５】
第４の発明は、第１ないし第３の発明において、前面カーテン壁と後面カーテン壁の間に、前面カーテン壁の吃水下端部よりも深い吃水下端部を有する中間部カーテン壁を設けたことを特徴とする。
【００１６】
第５の発明は、第１ないし第４の発明において、前面カーテン壁が、全面閉鎖型の壁又は横形ブラインド状に隙間を持って配列された複数の傾斜板を備えた壁であることを特徴とする。
【００１７】
第６の発明は、第１ないし第５の発明において、前面カーテン壁と後面カーテン壁のうち、前面カーテンが垂直型又は、下部が前方に迫り出した傾斜型であり、後面カーテンが垂直型又は、下部が後方に迫り出した傾斜型の何れかであることを特徴とする。
【００１８】
以下、本発明をさらに詳細に説明する。
【００１９】
本発明は、潮流や波浪流等の流れの通水機能を維持するための越流型堤体の実現を目的とするもので、図１は、その基本思想の第１例を説明するための模式図として、異吃水２重カーテン式構造の海水交換型消波堤を示す図である。図２は、同じく、本発明の基本思想の第２例を説明するための模式図として、図１の後面カーテン壁の後方にさらに越流部背後カーテン壁を設けた例を示す図である。図３、図４は、それぞれ図１、図２をより具体化して示す具体的模式説明図である。図５は、本発明の基本思想の第３例を説明するための具体的模式説明図である。また、図６〜図１１は、図１に示す海水交換型消波堤を用いた各種実験のデータを示すグラフである。
【００２０】
本発明に係る越流型堤体の海水交換型消波堤１は、異吃水２重カーテン式構造とし、海側（イ）に配置する吃水下端部２ａを有する前面カーテン壁２と、陸側（ロ）に配置し、天端に越流部３ａを有する後面カーテン壁３を所定の間隔をあけてあり、前後のカーテン壁２、３の間に遊水室４を形成し、遊水室４内のピストンモード波浪共振を利用して越流部３ａからの越流量を増加させ、海水交換を進める形式の堤体である。
【００２１】
この海水交換型消波堤１において、通水機能を上げるために前面カーテン壁２の吃水を浅くし、海底部８に立設する後面カーテン壁３の高さを低くするとき透過波の増大が懸念されるが、ここでは、図中に示す前面カーテン壁２の静水面１０から吃水下端部２ａまでの深さｄ１を所定深さに確保し、かつ後面カーテン壁３の天端に越流部（越波部）３ａを設けて、これによる透過波の低減効率を検討した。この場合、遊水室４内のピストンモード波浪共振による越流量の増大のため、後面カーテン壁３の天端に設ける越流部３ａの高さは、静水面１０と略同一または、静水面１０より少し突出しているか、又は水中に没するように設ける。このようにして本発明では、後面カーテン壁３の天端に越流工を設け、越流工の越波による海水交換を期待する構造体を提案するものである
【００２２】
図２の基本思想の第２例にあっては、越流部３ａからの越流に伴う透過波の増大を抑制するため、後面カーテン壁３のさらに後側に所定の間隔をあけて、吃水下端部５ａを有する越流部背後カーテン壁５を設けてある。越流部背後カーテン壁５の吃水下端部５ａは、前面カーテン壁２の吃水下端部２ａよりも浅くなるように設け、それにより内港からの作用波に対する反射波低減工としても作用するようにしてある。なお、図３、図４には、それぞれ図１、図２の海水交換型消波堤１を、任意の支持手段により海底地盤に設置の捨石工６に打設のコンクリート底版１２（図１、図２の海底部８に相当する）に構築した例が示されている。
【００２３】
同じく図５には、本発明の基本思想の第３例として、図３の構成に加えて、前面カーテン壁２と後面カーテン壁３の間に吃水下端部７ａを有する中間部カーテン壁７を設けた例が示されている。中間部カーテン壁７の吃水下端部７ａは、前面カーテン壁２の吃水下端部２ａよりも深く、越流部背後カーテン壁５の吃水下端部５ａよりも浅く設けている。
【００２４】
図１の海水交換型消波堤１は、潮流や波浪流等の流れの通水機能を期待する越流型堤体であって、海側（イ）から波となって押し寄せる海水は前面カーテン壁２の吃水下端部２ａと海底部８との間に形成される遊水室開口部９を通って、該前面カーテン壁２と後面カーテン壁３の間に形成される遊水室４内に入り、この遊水室４内で所定周期の波は減衰されると共に、遊水室４内でピストンモードの波浪共振が発生し、それにより波の一部は後面カーテン壁３の天端の越流部（越波部）３ａを超えて陸側（ロ）に越流する。また、越流部背後カーテン壁５を設けた図２の例では、越流部３ａを超えて陸側（ロ）に越流する透過波は、この越流部背後カーテン壁５により一層減衰されることになる。
【００２５】
従来公知の異吃水２重壁構造の海水交換型消波堤では、遊水室のピストンモードの波浪は後面カーテン壁によって遮蔽され、反射波となって前方に押し返されて減衰されるが、後面カーテン壁の下部が透過型で波が透過しやすいことや振動流である波動運動に対して効率的に一方向平均流を発生できないなどの欠点が見られる。
【００２６】
このように、港湾内の水をよどませないための潮流や波浪流等の流れの通水機能を確保することと、消波とは両立が難しい問題があった。然るに、本発明の異吃水２重壁構造の海水交換型消波堤では、後面カーテン壁の天端に越流部３ａを設けることで、越波現象という確実な方法による通水機能の確保と消波とを同時に解決でき、しかも静穏に消波できることが実験結果からも確認された。
【００２７】
以下、前記構造に基づく実験結果を説明する。
【００２８】
実験装置および実験方法
［模式堤体］
実験用模型では、潮流や波浪流等の流れの通水機能を期待する越流型の堤体において、海水交換をよくするため前面カーテン壁２の吃水下端部２ａの深さを浅くして遊水室開口部９の大きさを確保し、かつ、遊水室４によってピストンモードの波浪共振を派生させ、それにより越流量が増大されることを利用し、後面カーテン壁３の天端の越流部３ａを波が越流できるようにしている。これにより通水機能を確保し、なおかつ長周期波の透過波と反射波の低減効果も有効に低減できるとことが、以下に説明する模型実験によって実証された。
【００２９】
すなわち、図１に示す堤体１を模型縮尺が１／１５程度の大きさに作成した。これらは何れも前面カーテン壁２と後面カーテン壁３の２枚で構成し、遊水室４内でのピストンモード波浪共振による前後壁の下端部での渦流れの増大効果により反射波を低減する機構を採用している。前記前面カーテン壁２と後面カーテン壁３は両側に設けた側板（図示省略）で支持する構造としており、堤体１ユニットの長さは５０ｃｍである。水中に、水槽幅（１ｍ）にほぼ等しくなるように２基のユニットを直列に配置した。
【００３０】
この実験においても、潮流や波浪流等の流れの通水機能を維持するため越流型堤体とし、この場合、通水機能を上げるために、前面カーテン壁２の吃水を浅くし、後面カーテン壁３の高さを低くするとき透過波の増大が懸念される点に関し、図中に示す前面カーテン壁２の吃水下端部２ａの深さを所定深さに確保し、かつ後面カーテン壁３の天端に越流部３ａを設けて、これによる透過波の低減効率を検討した。
【００３１】
図１の越流型堤体において、越流部３ａよりの越波量を堤体１ユニット分について、有効波数の５波〜１０波分について越流弁を用いて測定した。こうして静穏かつ海水交換を有効に行えることを期待する本発明における、２重式カーテン構造で特徴的な遊水室内のピストンモード波浪共振による越流量の増大がどの程度期待できるかについて検討した。
【００３２】
図１の堤体では、越流部３ａの静水面から天端までの高さｈｃの影響を検討するため、高さｈｃを−５ｃｍから＋４ｃｍの範囲内で４種類に変化させた。ただし、越流量の測定実験では、天端が水面下となる場合には、測定が困難であるためｈｃ＝０〜＋４ｃｍの範囲内の３種類とした。
【００３３】
実験では、計５〜８本の容量式波高計を用いて、各堤体の反射率Ｃｒと透過率Ｃｔおよび遊水室内外の水面変動等を測定した。このとき反射率は、入・反射波の分離推定法を用いて求めた。また、図１の越流型堤体では、越流部よりの越波量を堤体１ユニット分について、有効波数の５波〜１０波分について越流弁を用いて測定した。
【００３４】
用いた波条件は、ピストンモードの波浪共振条件を考慮して、周期Ｔが、０．９〜２．０ｓの８種類程度、入射波高Ｈは、５ｃｍ、１０ｃｍの２種類とした。
【００３５】
［越流型堤体の越流量と波浪制御効果］
（１）越流量
図１、図２に示す越流型堤体では、越流量増大のため遊水室４内のピストンモードの波浪共振を利用する。図６には、波周期に関する無次元量として遊水室幅Ｂと波長Ｌとの比を用い、かつ後面カーテン壁３の天端高さ（越波部）を充分高くして、越流がない状態での遊水室４内の空間平均波高ＨｃのＢ／Ｌによる変化を実験結果と算定結果の両者について示す。なお、両結果において、対象とした周期条件の範囲では、遊水室４内の波高の空間変動は殆ど見られず、ピストンモードに近い状況にあったことを確認している。
【００３６】
図６に見られるように、入射波高で無次元化した遊水室４内の波高は、Ｂ／Ｌ＞０．１２の条件では、入射波高を上回る大きさになり、後述する反射波の低減効果の著しいＢ／Ｌ＜０．１の長周期に対しては増幅割合も比較的大きくなることが分る。実験結果は、算定結果よりも全般的に低く、実在流体場では、波浪共振点付近でより大きな逸散を生じているためと推定される。
【００３７】
図７は、図１に示す堤体１で後面カーテン壁３の天端高（越波部）３ａを静水面位置（ｈｃ＝０ｃｍ）としたときの越流量を示す。ここで、越流量としては、堤体１の単位幅当たりで１波当たりの量（＝Ｑ）としてあり、これを行進波の半周期当たりの流体移動量で無次元化してある。図中には、前記した遊水室４内の波高変動の算定結果と次の越流公式とを組み合わせた越流量の算定結果についても併せて示してある。ここでは、越流公式として一般的に知られている次式を用いた。
【００３８】
【数１】
2004218257.tif 000003
ここに、ｑ：単位幅、単位時間当たりの越流量、Ｃｄ：無次元流量係数、ｇ：重力加速度、ｈｗ：堰上端（後面カーテン壁の天端（越流部））の水頭高さである。
【００３９】
越流型堤体において、ｈｗは時間的に変動することから、遊水室４内の水位変動が正弦的に変化するものと仮定して、遊水室４内の後面カーテン壁３より上側の水位をｈｗとして適用すると、波の１周期当たりの越流量は次式で求められる。
【００４０】
【数２】
2004218257.tif 000004
ここに、Δｔ：遊水室内の水面が背後カーテン壁の天端（越流部）の上にある時間、ω：角振動数（＝２π／Ｔ）である。算定でＣｄには、水底からの天端高さの影響を考慮して０．８２を用いた。
【００４１】
図７に見られるように、無次元越流量は、図６に示す遊水室４内の波浪共振度合いに対応して増加する傾向が認められ、最大で進行波としての水塊移動量の２割程度になることが分る。そして、算定結果は、概略的には実験結果の変動傾向と一致するものの、定量的には共振度合いの予測が充分でないため、高めの予測になる傾向が強い。
【００４２】
図８は、越流量に及ぼす後面カーテン壁３の天端高さｈｃの影響について検討したもので、前記の結果に加えてｈｃ＝３ｃｍ、４ｃｍのときの結果も合わせ示してある。この図８より、越流量は、当然のことながら後面カーテン壁３の天端（越流部３ａ）が静水面に一致するとき最も大きく、天端を高くすると減少する傾向にある。但し、ｈｃ＝３ｃｍ、４ｃｍのときの越流量にはそれほど有意な差は見られず、越流量はある程度の突出高があるときには天端高さにそれほど鋭敏に影響されないと判断される。
【００４３】
（２）波浪制御効果
図９、図１０は、図１に示す越流型堤体１で後面カーテン壁３の天端を静水面に一致させたとき（ｈｃ＝０ｃｍ）、および後面カーテン壁３の天端をｈｃ＝−５ｃｍとしたときの反射率Ｃｒと透過率ＣｔのＢ／Ｌよる変化を示す。これらの図中には、減衰波理論による算定結果についても示すが、線形理論であるためｈｃ＝５ｃｍの条件では越流部３ａよりの透過波の影響は考慮できない。
【００４４】
図９より、反射率の実験結果は、越流効果を無視した算定結果とは概略的に一致している。そして、ｈｃ＝０ｃｍの条件では、図７に示す越流量が比較的大きくなるＢ／Ｌの条件下でも算定結果との一致がよいことから、越流が生じることによる反射波の低減への影響は殆ど無いといえる。
【００４５】
しかし、ｈｃ＝−５ｃｍの条件下では、実験、算定結果の両者共に、ｈｃ＝０ｃｍの結果に比較して反射率の絶対値は増加する傾向が見られ、後面カーテン壁３の天端を静水面とすることの影響は大きい。ｈｃ＝０ｃｍのときは、図７と図９との比較から、越流量が大きくなる条件は反射率が比較的小さくなる条件にほぼ一致しており、反射波を制御して越流量を増大させることが可能になる。
【００４６】
一方、図１０に示す透過率は、越流量の増大および後面カーテン壁３の天端の低下に伴ってやはり増加する傾向にあり、ｈｃ＝０ｃｍの場合でも透過率Ｃｔ＝０．３程度と有意な大きさになる。特に、後面カーテン壁３の天端を静水面下に設定する影響は大きい。
【００４７】
図１１は、越流を許すことによる透過波の増大抑制を目的として、図２に示すように堤体の港内側（背後側）にさらに越流部背後カーテン壁５を設けたときの透過率Ｃｔについて示す。図中には、ｈｃ＝０ｃｍ、−５ｃｍの両者の結果について示す。図１０の結果との比較から、港内側に越流部背後カーテン壁５を設けると、透過率は全体的に低下する傾向が見られる。但し、ｈｃ＝−５ｃｍのときには、やはり透過率は比較的高いままであり、後面カーテン壁３の天端（越流部３ａ）を静水面下に設定する影響は大きいといえる。
【００４８】
前述のように前面カーテン壁２と後面カーテン壁３との構成で、後面カーテン壁３の天端高さ（越流部３ａ）を静水面１０とすると、海水交換に有効な越流量が期待でき、反射波の低減も顕著である。なお、透過波を低減するためには、湾内側にもう１枚カーテンを取り付けるのがよく、その例として、図５には、前面カーテン壁２と後面カーテン壁３の間に中間部カーテン壁７が設けられた例が示されている。この中間部カーテン壁７の下端部の吃水下端部７ａは、前面カーテン壁２の吃水下端部２ａよりも深く、越流部背後カーテン壁５の吃水下端部５ａよりも浅く設けている。つまり、前カーテンを２重にした場合、吃水の違う２枚の垂水版によって波高低減が効果的な周期が２ケ所となる。よって、幅広い周期について、同時に干満差にも効果的となる。
【００４９】
［実験のまとめ］
実験から上部越流型防波堤は、遊水室内でのピストンモード波浪運動の増幅度に比例して越流量が増大する傾向が見られる。後面カーテン壁の天端高さを静水面位置程度に設定すると、その増幅度が大きな比較的長周期の条件下では海水交換に有効な越流量が期待できる。このとき、原理的に反射波の低減効果も顕著で波を制御して海水交換が可能であることが、模型実験によって立証された。
【００５０】
【発明の実施の形態】
以下、本発明の実施形態を図１２〜図１５を参照して説明する。
【００５１】
図１２は、実施形態１に係る越流型でかつ前面垂直型消波堤の斜視図、図１３は、図１２の部分正面図、図１４（ａ）は、図１２の側面図、図１４（ｂ）は、図１４（ａ）の支柱と下部構体を省略して示す側面原理説明図、  図１５（ａ）は、実施形態２に係る越流型でかつ前面垂直型消波堤の斜視図、図１５（ｂ）は、図１５（ａ）の支柱と下部構体を省略して示す側面原理説明図である。
【００５２】
図１２〜図１４の実施形態１を説明する。この実施形態１は、図２の基本例２の具体的構造を示し、海底部８に構築した捨石工６上にコンクリート製底版１２が設置され、このコンクリート製底版１２上には横方向に所定の間隔をあけて、前支柱１３、後支柱１４、背後支柱１５が前後３列に設置される。各支柱１３、１４、１５はコンクリート充填の角鋼管柱その他各種の柱材を使用できる。
【００５３】
前支柱１３には吃水下端部２ａを有する前面カーテン壁２が垂直に取り付けられる。この前面カーテン壁２の後方において、後支柱１４には天端に越流部（越波波部）３ａを有数する後面カーテン壁３が垂直に取り付けられる。後面カーテン壁３の下端部は、コンクリート製底版１２上に接して設置され、また、越流部（越波波部）３ａの高さ位置は、前面カーテン壁２の吃水下端部２ａよりも高い位置に設けられている。
【００５４】
後面カーテン壁３の後方に所定の間隔をあけて設けられている背後支柱１５には、越流部背後カーテン壁５が取り付けられている。越流部背後カーテン壁５の吃水下端部５ａは、前面カーテン壁２の吃水下端部２ａよりも浅くなるように設けられている。
【００５５】
前面カーテン壁２と後面カーテン壁３と越流部背後カーテン壁５とは、横方向に所定幅の壁板ブロックに設けられていて、各壁板ブロックの両側部位置にそれぞれ前支柱１３、後支柱１４、背後支柱１５が固定されたものが１ユニットをなしており、この１ユニットを横方向に繋いで前面カーテン壁２と後面カーテン壁３と越流部背後カーテン壁５の各列が構築されている。
【００５６】
したがって、前記の消波構造体の施工に際しては、前面カーテン壁２が前支柱１３に一体に設けられた１ユニットと、後面カーテン壁３が後支柱１４に一体に設けられた１ユニットと、越流部背後カーテン壁５が背後支柱１５に一体に設けられた１ユニットごとに海底部のコンクリート製底版１２上に構築される。
【００５７】
前記の消波構造体を構築したとき、前面カーテン壁２と後面カーテン壁３の間にピストンモード波浪共振による越流量の増大のための遊水室４が形成されると共に、前面カーテン壁２の吃水下端部２ａとコンクリート製底版１２との間に遊水室開口部９が形成される。越流部３ａの高さは、静水面１０と略同一か又は静水面１０より少し突出しているか、或いは水中に没している高さの何れかになるように構築される。
【００５８】
さらに、前支柱１３の列と背後支柱１５の列の上端を繋ぐように、かつ、前面カーテン壁２と越流部背後カーテン壁５の上端縁に接して山型プレキャストコンクリート１７が構築され、山型プレキャストコンクリート１７の上に、場所打ちコンクリートを打設して上床版１８を形成している。
【００５９】
実施形態１によると、海側（イ）から波となって押し寄せる海水の一部は前面カーテン壁２の吃水下端部２ａとコンクリート製底版１２の間に形成される遊水室開口部９を通って遊水室４内に入り、この遊水室４内で所定周期の波は減衰され、一部は反射波となって遊水室４外に再び流出し、他の一部は、後面カーテン壁３の天端の越流部３ａを越波して陸側（ロ）に流れる。その越波により波は減衰される。
【００６０】
このように、遊水室４の後面カーテン壁３の天端に越流部３ａを設けることで、その越波により波は減衰され、反射波の低減効果を損なうことなく、しかも、透過波についても有意に低減できる。前記の作用を効率的に行わせるためには、遊水室４が有効に機能するピストンモード波浪共振による越流量の増大がよく、また、そのための越流部３ａの高さは、静水面１０と略同一か又は静水面１０よりも少し突出している高さ、或いは水中に没している高さになるようにするのがよい。さらに、越流部背後カーテン壁５を設けることで、越流部３ａを越えて陸側（ロ）に伝播する波浪を一層減衰できる。
【００６１】
図１５は実施形態２を示す。実施形態２に係る消波堤１は、実施形態１における前面カーテン壁２が全面閉鎖型であるのに代えて、横形ブラインド状に傾斜間隙１９を持って配列された複数の傾斜板２０を備えた前面カーテン壁２ｂを設けた例を示す。
【００６２】
実施形態２では、海側（イ）から波となって押し寄せる海水の一部は遊水室開口部９およびブラインド型の前面カーテン壁２ｂの傾斜間隙１９からも遊水室４内に進入、退出できるもので、この構成は内海など比較的低反射を期待する場合に有効である。実施形態２におけるその他の構成と作用は実施形態１と同じであるので、同一要素には同一符号を付して重複説明を省略する。
【００６３】
前記の消波構造体において、前面カーテン壁２やブラインド型前面カーテン壁２ｂ、および後面カーテン壁３を垂直に配置するのは、外海（大西洋・太平洋）で、干満差の少ない海域を対象とする場合に適している。
【００６４】
また、干満差が大きい内海などでは、前後のカーテン壁を傾斜型とするのが有効である。すなわち、図示を省略するが、実施形態１、２における前面カーテン壁２やブラインド型前面カーテン壁２ｂを下部が海側（イ）に迫り出すように傾斜配設し、また、後面カーテン壁３を下部が陸側（ロ）に迫り出すように傾斜配設しもよい。このような傾斜型消波堤は、瀬戸内海など低反射を期待する場合に有効である。また、前面カーテン壁２やブラインド型前面カーテン壁２ｂを傾斜させることは、反射波を低減するうえでも特に有効である。
【００６５】
［実施形態のまとめ］
▲１▼越流型で、低反射・低透過構造の海水消波堤は、前面カーテン壁と後面カーテン壁とを備え、後面カーテン壁の高さを抑えて海水が乗り越えるようにした。▲２▼この後面カーテン壁の高さは、海水面か少し低いくらいにする。▲３▼前面カーテン壁が吃水の違うもう一枚のカーテン壁を備えてもよい。▲４▼後面カーテン壁の後ろに吃水の違うもう一枚のカーテン壁を備えてもよい。▲５▼前面カーテン壁の後ろにも中間部カーテン壁を備えている方が、反射波を低減するのに有効である。▲６▼前記消波堤は、杭式でもよく、定置式でもよい。
【００６６】
なお、本発明の図に示した構成を適宜設計変更して実施することは、本発明の技術的範囲に含まれる。
【００６７】
【発明の効果】
本発明によるとつぎの効果がある。すなわち、上部越流型防波堤の越流量は、遊水室内でのピストンモード波浪運動の増幅度に比例して増大する傾向が見られ、後面カーテン壁の天端高さを静水面位置程度に設定すると、その増幅度が大きな比較的長周期の条件下では、海水交換に有効な越流量が期待でき、しかもこのとき、反射波の低減効果も顕著であり、したがって、波を制御して海水交換が可能になる。また、上部越流型防波堤の越流量は、減衰理論と堰の越流公式を組み合わせた理論算定法によりほぼ予測できるので、設計の通りに消波構造体を構築すれば、前述の作用効果が期待できる越流型防波堤を確実に構築することができる。
【図面の簡単な説明】
【図１】本発明の基本思想１を説明するための模式図である。
【図２】本発明の基本思想２を説明するための模式図である。
【図３】図１をより具体化して示す具体的模式説明図である。
【図４】図２をより具体化して示す具体的模式説明図である。
【図５】本発明の基本思想３を示す具体的模式説明図である。
【図６】本発明の越流型消波堤において、遊水室内の波高比（越流なし）の図である。
【図７】本発明の越流型消波堤において、越流量（算定結果との比較）を示す図である。
【図８】本発明の越流型消波堤において、越流量に及ぼす後面カーテン壁の天端高さの影響を示す図である。
【図９】本発明の越流型消波堤において、反射率Ｃｒを示す図である。
【図１０】本発明の越流型消波堤において、透過率Ｃｔを示す図である。
【図１１】本発明の越流型消波堤において、越流部背後カーテン壁の効果（透過率Ｃｔ）を示す図である。
【図１２】実施形態１に係る、越流型の海水交換型消波堤を示す斜視図である。
【図１３】図１２の正面部分図である。
【図１４】図（ａ）は、図１２の側面図、図（ｂ）は、同図（ａ）の支柱と下部構体を省略して示す側面原理説明図である。
【図１５】図（ａ）は、実施形態２に係る越流型でかつ前面垂直型消波堤の斜視図、図（ｂ）は、同図（ａ）の支柱と下部構体を省略して示す側面原理説明図である。
【符号の説明】
１  海水交換型消波堤
２  前面カーテン壁
２ａ  吃水下端部
３  後面カーテン壁
３ａ  吃水下端部
４  遊水室
５  越流部背後カーテン壁
５ａ  吃水下端部
６  捨石工
７  中間部カーテン壁
７ａ  吃水下端部
８  海底部
９  遊水室開口部
１０  静水面
１２  コンクリート底版
１３  前支柱
１４  後支柱
１５  背後支柱
１７  山型プレキャストコンクリート
１８  上床版
１９  傾斜間隙
２０  傾斜板
【図１】
2004218257.tif 000005
【図２】
2004218257.tif 000006
【図３】
2004218257.tif 000007
【図４】
2004218257.tif 000008
【図５】
2004218257.tif 000009
【図６】
2004218257.tif 000010
【図７】
2004218257.tif 000011
【図８】
2004218257.tif 000012
【図９】
2004218257.tif 000013
【図１０】
2004218257.tif 000014
【図１１】
2004218257.tif 000015
【図１２】
2004218257.tif 000016
【図１３】
2004218257.tif 000017
【図１４】
2004218257.tif 000018
【図１５】
2004218257.tif 000019